【手続補正書】
【提出日】平成28年3月29日(2016.3.29)
【手続補正１】
【補正対象書類名】特許請求の範囲
【補正対象項目名】全文
【補正方法】変更
【補正の内容】
【特許請求の範囲】
【請求項１】
ユーザ機器をブートするための方法であって、
前記ユーザ機器のデバイスブートを実行することと、
前記ユーザ機器に関連する周辺機器についてのプロファイルが前記ユーザ機器において利用可能であるかどうかを決定することと、
前記周辺機器のうちの１つについてのプロファイルが前記ユーザ機器において利用可能でないが、前記ユーザ機器の外部のロケーションにおいて利用可能であると決定するときに、前記ロケーションから前記周辺機器のうちの前記１つについての前記プロファイルを検索すること、ここにおいて、前記ロケーションが、前記周辺機器のうちの前記１つに関連する製造業者によって管理される、と、
前記検索されたプロファイルに基づいて少なくとも前記周辺機器のうちの前記１つについての前記プロファイルを更新することによって、前記ユーザ機器のための前記周辺機器と関連するドライバとを構成することと、
ハイレベルオペレーティングシステム（ＨＬＯＳ）をブートすることと
を備え、前記構成することは、前記周辺機器の各々に関連する少なくとも１つのドライバに関係する情報を前記ＨＬＯＳに利用可能にし、前記構成することは、前記ＨＬＯＳを前記ブートすることの前に行われる、
方法。
【請求項２】
前記ＨＬＯＳを前記ブートすることの前に、前記ユーザ機器のための前記関連するドライバをプリフェッチすることをさらに備える、
請求項１に記載の方法。
【請求項３】
前記ユーザ機器のための前記周辺機器と関連するドライバとを構成することは、前記ＨＬＯＳを前記ブートすることの前に、前記関連するドライバをアクティブにすることを備える、
請求項１に記載の方法。
【請求項４】
前記構成される周辺機器に関連する中間ドライバを識別することと、
前記ユーザ機器が、前記ＨＬＯＳを前記ブートすることの前に前記周辺機器を使用することを可能にするために、プリＨＬＯＳ動作環境による使用のために前記中間ドライバをロードすることと
をさらに備える、請求項１に記載の方法。
【請求項５】
前記周辺機器と関連するドライバとを構成することは、前記周辺機器と関連するドライバとを自動的に構成することを備える、
請求項１に記載の方法。
【請求項６】
前記周辺機器と関連するドライバとを構成することは、前記周辺機器と関連するドライバとを手動で構成することを備える、
請求項１に記載の方法。
【請求項７】
前記構成することは、
前記ユーザ機器に関連する前記周辺機器を決定することと、
周辺機器プロファイルテーブル中の各決定された周辺機器についてのプロファイルを更新することと、
前記ＨＬＯＳによる使用のために各周辺機器プロファイルに関連するドライバを準備することと
をさらに備える、請求項１に記載の方法。
【請求項８】
前記ユーザ機器に関連する前記周辺機器を決定することは、
各周辺機器についてのプロファイルが完全であるかどうかを検出することと、
各周辺機器についての前記プロファイルをエラー検査することと
をさらに備える、請求項７に記載の方法。
【請求項９】
前記周辺機器のうちの前記１つについての前記プロファイルを更新することは、前記周辺機器のうちの前記１つについてのエラーメッセージを前記周辺機器プロファイルテーブルに記憶することを備える、
請求項７に記載の方法。
【請求項１０】
ユーザ機器をブートするための装置であって、
前記ユーザ機器のデバイスブートを実行するための手段と、
前記ユーザ機器に関連する周辺機器についてのプロファイルが前記ユーザ機器において利用可能であるかどうかを決定するための手段と、
前記周辺機器のうちの１つについてのプロファイルが前記ユーザ機器において利用可能でないが、前記ユーザ機器の外部のロケーションにおいて利用可能であると決定するときに、前記ユーザ機器の外部の前記ロケーションから前記周辺機器のうちの前記１つについての前記プロファイルを検索するための手段と、
前記検索されたプロファイルに基づいて少なくとも前記周辺機器のうちの前記１つについての前記プロファイルを更新することによって、前記ユーザ機器のための前記周辺機器と関連するドライバとを構成するための手段と、
ハイレベルオペレーティングシステム（ＨＬＯＳ）をブートするための手段と
を備え、前記構成することは、前記周辺機器の各々に関連する少なくとも１つのドライバに関係する情報を前記ＨＬＯＳに利用可能にし、前記構成することは、前記ＨＬＯＳを前記ブートすることの前に行われる、
装置。
【請求項１１】
コンピュータに、
ユーザ機器のデバイスブートを実行することと、
前記ユーザ機器に関連する周辺機器についてのプロファイルが前記ユーザ機器において利用可能であるかどうかを決定することと、
前記周辺機器のうちの１つについてのプロファイルが前記ユーザ機器において利用可能でないが、前記ユーザ機器の外部のロケーションにおいて利用可能であると決定するときに、前記ユーザ機器の外部のロケーションから前記周辺機器のうちの前記１つについての前記プロファイルを検索すること、ここにおいて、前記ロケーションが、前記周辺機器のうちの前記１つに関連する製造業者によって管理される、と、
前記検索されたプロファイルに基づいて少なくとも前記周辺機器のうちの前記１つについての前記プロファイルを更新することによって、前記ユーザ機器のための前記周辺機器と関連するドライバとを構成することと、
ハイレベルオペレーティングシステム（ＨＬＯＳ）をブートすることと
を行わせるためのコードを備え、前記構成することは、前記周辺機器の各々に関連する少なくとも１つのドライバに関係する情報を前記ＨＬＯＳに利用可能にし、前記構成することは、前記ＨＬＯＳを前記ブートすることの前に行われる、
非一時的なコンピュータ可読媒体。
【請求項１２】
ユーザ機器をブートするための装置であって、
メモリと、
トランシーバと、
プロセッサと
を備え、前記プロセッサは、
前記ユーザ機器のデバイスブートを実行することと、
前記ユーザ機器に関連する周辺機器についてのプロファイルが前記ユーザ機器において利用可能であるかどうかを決定することと、
前記周辺機器のうちの１つについてのプロファイルが前記ユーザ機器において利用可能でないが、前記ユーザ機器の外部のロケーションにおいて利用可能であると決定すること、ここにおいて、前記ロケーションが、前記周辺機器のうちの前記１つに関連する製造業者によって管理され、前記トランシーバは、前記ロケーションから前記周辺機器のうちの前記１つについての前記プロファイルを検索するように構成される、と、
前記検索されたプロファイルに基づいて少なくとも前記周辺機器のうちの前記１つについての前記プロファイルを更新することによって、前記ユーザ機器のための前記周辺機器と関連するドライバとを構成することと、
ハイレベルオペレーティングシステム（ＨＬＯＳ）をブートすることと
を行うように構成され、前記構成することは、前記周辺機器の各々に関連する少なくとも１つのドライバに関係する情報を前記ＨＬＯＳに利用可能にし、前記構成することは、前記ＨＬＯＳを前記ブートすることの前に行われる、
装置。
【請求項１３】
前記プロセッサは、前記ＨＬＯＳを前記ブートすることの前に前記ユーザ機器のための前記関連するドライバをプリフェッチするようにさらに構成される、
請求項１２に記載の装置。
【請求項１４】
前記ユーザ機器のための前記周辺機器と関連するドライバとを構成するために、前記プロセッサは、前記ＨＬＯＳを前記ブートすることの前に前記関連するドライバをアクティブにするように構成される、
請求項１２に記載の装置。
【請求項１５】
前記プロセッサは、
前記構成される周辺機器に関連する中間ドライバを識別することと、
前記ユーザ機器が、前記ＨＬＯＳを前記ブートすることの前に前記周辺機器を使用することを可能にするために、プリＨＬＯＳ動作環境による使用のために前記中間ドライバをロードすることと
を行うようにさらに構成される、請求項１２に記載の装置。
【請求項１６】
前記周辺機器と関連するドライバとを構成するために、前記プロセッサは、前記周辺機器と関連するドライバとを自動的に構成するように構成される、
請求項１２に記載の装置。
【請求項１７】
前記周辺機器と関連するドライバとを構成するために、前記プロセッサは、前記周辺機器と関連するドライバとを手動で構成するように構成される、
請求項１２に記載の装置。
【請求項１８】
前記周辺機器と関連するドライバとを構成するために、前記プロセッサは、
前記ユーザ機器に関連する前記周辺機器を決定することと、
周辺機器プロファイルテーブル中の各決定された周辺機器についてのプロファイルを更新することと、
前記ＨＬＯＳによる使用のために各周辺機器プロファイルに関連するドライバを準備することと
を行うようにさらに構成される、請求項１２に記載の装置。
【請求項１９】
前記ユーザ機器に関連する前記周辺機器を決定するために、前記プロセッサは、
各周辺機器についての前記プロファイルが完全であるかどうかを検出することと、
各周辺機器についての前記プロファイルをエラー検査することとを行うようにさらに構成される、
請求項１８に記載の装置。
【請求項２０】
前記プロセッサは、少なくとも前記周辺機器のうちの前記１つについてのエラーメッセージを前記周辺機器プロファイルテーブルに記憶することによって前記周辺機器のうちの前記１つについての前記プロファイルを更新するように構成される、
請求項１８に記載の装置。